(57)【特許請求の範囲】
【請求項１】
記録紙に画像形成を行う画像形成装置本体の上部に一体的に配置されるとともに、原稿を搬送する開閉自在な原稿搬送装置の下部に配置され、
原稿の読取のための光学部品を内部に収納する筐体と、
前記画像形成装置本体の制御基板と前記原稿搬送装置とを電気的に接続するケーブルの中継コネクタと、を備え、
前記ケーブルが、前記筐体の外部を通って前記中継コネクタと前記原稿搬送装置とを電気的に接続する原稿搬送装置側ケーブルと、前記筐体の内部を通って前記中継コネクタと前記制御基板とを電気的に接続する制御基板側ケーブルと、からなる画像読取装置において、
前記筐体の内部に、前記原稿搬送装置側ケーブルおよび前記制御基板側ケーブルの着脱方向が水平となる姿勢で前記中継コネクタを保持するとともに、前記光学部品を前記筐体の外部から遮蔽する保持部材を備えたことを特徴とする画像読取装置。
【請求項２】
前記筐体が、
前記筐体の内部に水平方向に延在して、その外側端部において前記筐体の側面の垂直壁に水平方向に開口する第１の開口部を有するとともに、その内側端部において前記光学部品に連通し、前記原稿搬送装置側ケーブルが挿通される第１の挿通穴と、
前記筐体の内部に垂直方向に延在して、その上側端部において垂直方向に開口して前記光学部品に連通する第２の開口部を有し更に前記第１の挿通穴の内側端部に連通するとともに、その下側端部において前記画像形成装置本体に連通し、前記制御基板側ケーブルが屈曲して挿通される第２の挿通穴と、を備え、
前記保持部材が、前記第１の挿通穴の内側端部と前記第２の挿通穴の上側端部の連通位置に配置され、前記第１の挿通穴および前記第２の開口部を遮蔽することを特徴とする請求項１に記載の画像読取装置。
【請求項３】
前記筐体が、前記保持部材より前記第１の挿通穴の内側端部の側に配置され、前記保持部材に当接して前記第１の挿通穴の内側端部の方向に撓むことを規制する第１の規制部を有することを特徴とする請求項２に記載の画像読取装置。
【請求項４】
前記筐体が、前記保持部材より前記第１の挿通穴の外側端部の側に配置され、前記保持部材に当接して前記保持部材が前記第１の挿通穴の外側端部の方向に撓むことを規制する第２の規制部を有することを特徴とする請求項２または請求項３に記載の画像読取装置。
【請求項５】
前記原稿搬送装置側ケーブルと略同径に形成され該原稿搬送装置側ケーブルが挿通される挿通穴を有するとともに、前記第１の開口部に装着されて該第１の開口部を遮蔽するカバー部材を備え、
前記筐体が、前記第１の開口部の上部に配置され、前記保持部材の上部と当接することで前記第１の開口部の遮蔽を補助する遮蔽補助部材を有することを特徴とする請求項１乃至請求項４の何れかに記載の画像読取装置。
【請求項６】
前記保持部材が金属から構成されることを特徴とする請求項１乃至請求項５の何れかに記載の画像読取装置。
【請求項７】
前記保持部材が、前記保持部材を電気的に接地するアース線に接続され、
前記筐体が、樹脂から構成されるとともに、前記アース線が通過する通過経路を有することを特徴とする請求項６に記載の画像読取装置。
【請求項８】
前記保持部材と前記原稿搬送装置を更にアース線で接続したことを特徴とする請求項７に記載の画像読取装置。
【請求項９】
請求項１乃至請求項８の何れかに記載の画像読取装置を備えたことを特徴とする画像形成装置。
【発明の詳細な説明】
【技術分野】
【０００１】
本発明は、原稿搬送装置と画像形成装置本体の制御基板とを接続するケーブルを画像読取装置にて中継させた画像読取装置および画像形成装置に関する。
【背景技術】
【０００２】
従来、画像形成装置本体の上部に画像読取装置を設け、この画像読取装置の上部に画像読取装置に対して開閉自在な原稿搬送装置を設けた画像形成装置においては、原稿搬送装置と画像形成装置本体内部の制御基板とをケーブルで接続する必要があるが、原稿搬送装置が画像読取装置の上部に開閉自在に設けられているため、原稿搬送装置から装置外へケーブルを露出させ、このケーブルを画像形成装置本体内に設けられた制御基板に接続するようになっている。
【０００３】
この場合、装置外に露出したケーブルには、安全上の観点から被覆を設ける必要があり、また、装置外に露出したケーブルはコスト低減の観点から可能な限り短いことが望ましいため、装置外に露出するケーブルの長さを短くするために、画像読取装置内に中継コネクタを設け、原稿搬送装置と中継コネクタとを被覆のあるケーブル（以下、原稿搬送装置側ケーブル、という）で接続し、中継コネクタと画像形成装置本体内の制御基板とを被覆のないケーブル（以下、制御基板側ケーブル、という）で接続することが好ましい。
【０００４】
また、装置外に露出する原稿搬送装置側ケーブルを引っかけて破損してしまうこと、および、原稿搬送装置側ケーブルにより装置の設置面積が大きくなってしまうことを防止するために、原稿搬送装置から原稿搬送装置側ケーブルを装置外へ露出させることなく画像読取装置に接続するようにした技術も知られている（例えば、特許文献１参照）。
【０００５】
ここで、装置外に露出する原稿搬送装置側ケーブルと露出しない制御基板側ケーブルとを画像読取装置内に設けた中継コネクタで接続するようにした画像形成装置においては、組付け工程において原稿搬送装置側ケーブルを中継コネクタに接続するときに作業者の手が画像読取装置の上面のカバーと接触して作業性が悪化することを防止するために、中継コネクタに対して原稿搬送装置側ケーブルを抜き差しする方向が水平方向となるような姿勢で中継コネクタを配置することが望ましいが、この場合、中継コネクタと画像形成装置本体の制御基板とを接続する制御基板側ケーブルを中継コネクタに接続するための作業スペースが画像読取装置内に必要となるため、画像読取装置を大きくしなければならないという問題がある。
【０００６】
また、制御基板側ケーブルを画像読取装置内を通って画像形成装置に接続するためには、画像形成装置本体に連通するケーブル通路を画像読取装置内に設ける必要があるため、画像形成装置本体内で発生する粉塵等がケーブル通路を通って画像読取装置に侵入すると、画像読取装置内の光学部品が汚れてしまうという問題があった。
【０００７】
そこで、画像読取装置内部の光学部品に異物が付着することを防ぐ目的で、画像読取装置の外面に中継基板を設け、この中継基板により内外を仕切るようにした技術が知られている（例えば、特許文献２参照）。
【発明の概要】
【発明が解決しようとする課題】
【０００８】
しかしながら、特許文献２に記載された技術では、画像読取装置外にそのケーブルの接続先である制御基板が設けられている場合には、画像読取装置の密閉性を確保することができないという問題があった。すなわち、従来の技術では、画像読取装置の大型化の防止、防塵性の確保、組付け時のケーブル接続の作業効率の向上、を同時に達成することができなかった。
【０００９】
本発明はこのような問題を解決するためになされたもので、装置のサイズを大きくすることなく、かつ、防塵性を確保した上で、制御基板側ケーブルおよび原稿搬送装置側ケーブルを中継コネクタに装着するときの作業効率を高めることができる画像読取装置および画像形成装置を提供するものである。
【課題を解決するための手段】
【００１０】
本発明に係る画像読取装置は、記録紙に画像形成を行う画像形成装置本体の上部に一体的に配置されるとともに、原稿を搬送する開閉自在な原稿搬送装置の下部に配置され、原稿の読取のための光学部品を内部に収納する筐体と、前記画像形成装置本体の制御基板と前記原稿搬送装置とを電気的に接続するケーブルの中継コネクタと、を備え、前記ケーブルが、前記筐体の外部を通って前記中継コネクタと前記原稿搬送装置とを電気的に接続する原稿搬送装置側ケーブルと、前記筐体の内部を通って前記中継コネクタと前記制御基板とを電気的に接続する制御基板側ケーブルと、からなる画像読取装置において、前記筐体の内部に、前記原稿搬送装置側ケーブルおよび前記制御基板側ケーブルの着脱方向が水平となる姿勢で前記中継コネクタを保持するとともに、前記光学部品を前記筐体の外部から遮蔽する保持部材を備えたことを特徴とする。
【００１１】
この構成により、中継コネクタへの原稿搬送装置側ケーブルおよび制御基板側ケーブルの着脱方向が水平となるので、装置のサイズが大きくなることを防止することができる。
【００１２】
また、中継コネクタを保持する保持部材により画像読取装置の内部の光学部品を外部から遮蔽することにより、光学部品に外部から粉塵等が侵入することが防止されるので、防塵性を確保することができる。
【００１３】
また、中継コネクタに制御基板側ケーブルを装着してから、この中継コネクタを筐体に取り付け、更に、この中継コネクタに原稿搬送装置側ケーブルを装着することで組付けを行うことができるので、制御基板側ケーブルおよび原稿搬送装置側ケーブルを中継コネクタに装着するときの作業効率を高めることができる。
【００１４】
したがって、装置のサイズを大きくすることなく、かつ、防塵性を確保した上で、制御基板側ケーブルおよび原稿搬送装置側ケーブルを中継コネクタに装着するときの作業効率を高めることができる。
【００１５】
また、本発明に係る画像読取装置は、前記筐体が、前記筐体の内部に水平方向に延在して、その外側端部において前記筐体の側面の垂直壁に水平方向に開口する第１の開口部を有するとともに、その内側端部において前記光学部品に連通し、前記原稿搬送装置側ケーブルが挿通される第１の挿通穴と、前記筐体の内部に垂直方向に延在して、その上側端部において垂直方向に開口して前記光学部品に連通する第２の開口部を有し更に前記第１の挿通穴の内側端部に連通するとともに、その下側端部において前記画像形成装置本体に連通し、前記制御基板側ケーブルが屈曲して挿通される第２の挿通穴と、を備え、前記保持部材が、前記第１の挿通穴の内側端部と前記第２の挿通穴の上側端部の連通位置に配置され、前記第１の挿通穴および前記第２の開口部を遮蔽することを特徴とする。
【００１６】
この構成により、中継コネクタを保持する保持部材により第１の挿通穴を遮蔽することにより、第１の挿通穴を通って外部から粉塵等が内部に侵入することが防止され、また、垂直方向に開口する第２の開口部が保持部材により遮蔽されるため、画像読取装置の下部の画像形成装置本体で発生した熱気流に乗って粉塵当が第２の挿通穴を通って画像読取装置に流入してしまうことが防止され、防塵性をより高めることができる。
【００１７】
また、本発明に係る画像読取装置は、前記筐体が、前記保持部材より前記第１の挿通穴の内側端部の側に配置され、前記保持部材に当接して前記第１の挿通穴の内側端部の方向に撓むことを規制する第１の規制部を有することを特徴とする。
【００１８】
この構成により、原稿搬送装置側ケーブルを中継コネクタに装着するときに保持部材が第１の挿通穴の内側端部の方向に撓むことを第１の規制部により抑制することができるので、原稿搬送装置側ケーブルを中継コネクタに装着するときの作業性を向上することができ、また、原稿搬送装置側ケーブルを中継コネクタに装着するときに保持部材が撓んで破壊することを防止することができる。
【００１９】
また、本発明に係る画像読取装置は、前記筐体が、前記保持部材より前記第１の挿通穴の外側端部の側に配置され、前記保持部材に当接して前記保持部材が前記第１の挿通穴の外側端部の方向に撓むことを規制する第２の規制部を有することを特徴とする。
【００２０】
この構成により、原稿搬送装置側ケーブルを中継コネクタから引き抜くときに保持部材が第１の挿通穴の外側端部の方向に撓むことを第２の規制部により抑制することができるので、原稿搬送装置側ケーブルを中継コネクタから引き抜くときの作業性を向上することができ、また、原稿搬送装置側ケーブルを中継コネクタから引き抜くときに保持部材が撓んで破壊することを防止することができる。
【００２１】
また、本発明に係る画像読取装置は、前記原稿搬送装置側ケーブルと略同径に形成され該原稿搬送装置側ケーブルが挿通される挿通穴を有するとともに、前記第１の開口部に装着されて該第１の開口部を遮蔽するカバー部材を備え、前記筐体が、前記第１の開口部の上部に配置され、前記保持部材の上部と当接することで前記第１の開口部の遮蔽を補助する遮蔽補助部材を有することを特徴とする。
【００２２】
この構成により、中継コネクタに対して原稿搬送装置側ケーブルおよび制御基板側ケーブルを抜き差しするときに、カバー部材を取り外す必要があるが、遮蔽補助部材により第１の開口部の遮蔽が補助されているため、画像読取装置の内部の光学部品の機密性を確保することができる。
【００２３】
また、本発明に係る画像読取装置は、前記保持部材が金属から構成されることを特徴とする。
【００２４】
この構成により、保持部材の材料を金属にすることにより、樹脂から構成する場合よりも薄肉に形成しても、中継コネクタに対して原稿搬送装置側ケーブルおよび制御基板側ケーブルを抜き差しするときの保持部材の耐荷重強度を確保することができる。
【００２５】
また、本発明に係る画像読取装置は、前記保持部材が、前記保持部材を電気的に接地するアース線に接続され、前記筐体が、樹脂から構成されるとともに、前記アース線が通過する通過経路を有することを特徴とする。
【００２６】
この構成により、画像読取装置の筐体を樹脂材料とした場合、保持部材を電気的に接地しないと保持部材が装置内で発生する電波のアンテナとなって電波放射量が増加してしまうが、保持部材をアース線で接地し、筐体内にアース線の通過経路を設けることにより、筐体を樹脂から構成した場合でも保持部材からの電波放射を防止することができる。
【００２７】
また、本発明に係る画像読取装置は、前記保持部材と前記原稿搬送装置を更にアース線で接続したことを特徴とする。
【００２８】
この構成により、筐体が樹脂から構成される場合でも原稿搬送装置を電気的に接地することが可能となり、かつ、原稿搬送装置側ケーブルや制御基板側ケーブルの近傍にアース線が配置されることによる不都合が発生せず、別途アース板等にて原稿搬送装置と画像読取装置を接地することを不要にすることができる。
【００２９】
また、本発明に係る画像形成装置は、上記の何れかに記載の画像読取装置を備えたことを特徴とする。
【００３０】
この構成により、画像読取装置を備える画像形成装置において、装置のサイズを大きくすることなく、かつ、防塵性を確保した上で、制御基板側ケーブルおよび原稿搬送装置側ケーブルを中継コネクタに装着するときの作業効率を高めることができる。
【発明の効果】
【００３１】
本発明によれば、装置のサイズを大きくすることなく、かつ、防塵性を確保した上で、制御基板側ケーブルおよび原稿搬送装置側ケーブルを中継コネクタに装着するときの作業効率を高めることができる画像読取装置および画像形成装置を提供することができる。
【図面の簡単な説明】
【００３２】
【図１】本発明の一実施の形態に係る画像読取装置を搭載した画像形成装置の前面側を示す斜視図である。
【図２】本発明の一実施の形態に係る画像読取装置を搭載した画像形成装置の背面側を示す斜視図である。
【図３】本発明の一実施の形態に係る画像形成装置の原稿搬送装置を省略した状態の背面を示す斜視図である。
【図４】本発明の一実施の形態に係る画像形成装置の原稿搬送装置の上カバー、コンタクトガラスを省略した状態の背面を示す斜視図である。
【図５】図４の保持部材および原稿搬送装置側ケーブルの詳細を示す拡大斜視図である。
【図６】本発明の一実施の形態に係る画像読取装置の画像形成装置内に設けられた制御基板および制御基板側ケーブルを示す斜視図である。
【図７】本発明の一実施の形態に係る画像読取装置の制御基板側ケーブルの接続方法を示す斜視図である。
【図８】本発明の一実施の形態に係る画像読取装置の保持部材を外側から見た拡大斜視図である。
【図９】本発明の一実施の形態に係る画像読取装置の保持部材を内側から見た拡大斜視図である。
【図１０】本発明の一実施の形態に係る画像読取装置の制御基板側ケーブルの経路を示す断面図である。
【図１１】本発明の一実施の形態に係る画像読取装置の保持部材を外側から見た拡大斜視図である。
【図１２】（ａ）は、本発明の一実施の形態に係る画像読取装置の筐体の水平断面図であり、（ｂ）は、保持部材の他の固定方向を説明する垂直断面図である。
【発明を実施するための最良の形態】
【００３３】
以下、本発明の実施の形態について、図面を参照して説明する。
【００３４】
まず、構成について説明する。
【００３５】
図１〜図３に示すように、画像形成装置１００は、例えば、電子写真方式のデジタルコピー機として構成されており、原稿を画像読取装置１０２に搬送する原稿搬送装置１０３と、原稿搬送装置１０３に搬送された原稿を読取る画像読取装置１０２と、画像読取装置１０２が読取った画像を記録紙に形成する画像形成装置本体１０１と、を備えている。
【００３６】
原稿搬送装置１０３は、原稿搬送装置１０３と画像読取装置１０２の間であって画像形成装置１００の背面（図１の左奥側、図２の左手前側）に設けられた図示しない回動軸を回動支点として回動することにより、画像読取装置１０２に対して開閉するようになっている。
【００３７】
読取対象となる原稿は、原稿搬送装置１０３の手前側（図１の右手前側、図２の右奥側）を持ち上げて原稿搬送装置１０３を開放することでコンタクトガラス３０３（図３参照）上に載置するか、または、原稿搬送装置１０３から１枚ずつ自動的に搬送させることにより、コンタクトガラス３０３上に供給されるようになっている。
【００３８】
図２に示すように、画像形成装置１００の背面側においては、一端が原稿搬送装置１０３に差し込まれるとともに、他端が画像読取装置１０２に差し込まれた原稿搬送装置側ケーブル２０１が設けられている。原稿搬送装置側ケーブル２０１は装置の外側となるため、安全上の理由から難燃性の高い被服で覆われている。この原稿搬送装置側ケーブル２０１は、原稿搬送装置１０３と画像形成装置本体１０１の制御基板５０１（図６参照）とを電気的に接続するケーブルの一部を構成するものであり、画像読取装置１０２には電気的に接続されていない。
【００３９】
ここで、仮に、装置の外部を通過する原稿搬送装置側ケーブル２０１により、原稿搬送装置１０３と画像形成装置本体１０１の制御基板５０１とを接続する場合、すなわち、原稿搬送装置側ケーブル２０１の一端を原稿搬送装置１０３に差し込むとともに、他端を画像形成装置本体１０１に差し込むようにした場合、原稿搬送装置側ケーブル２０１の長さは、図２のように構成する場合よりも長くなってしまい、被覆で覆われたケーブルは被覆で覆われていないケーブルよりもコストが高いため、本実施の形態では、図２のように、原稿搬送装置１０３と画像形成装置本体１０１の制御基板５０１とを電気的に接続するケーブルの一部のみを、被覆が設けられた原稿搬送装置側ケーブル２０１として装置の外部に露出させ、ケーブルの残りの部分は、被覆を設けずに、後述する制御基板側ケーブル５０２（図６参照）として画像読取装置１０２と画像形成装置本体１０１の内部を通過され、原稿搬送装置側ケーブル２０１と制御基板側ケーブルとを、画像読取装置１０２に内部に設けられた後述する中継コネクタ４０１（図４参照）により接続するように構成している。
【００４０】
原稿搬送装置側ケーブル２０１の他端が差し込まれる画像読取装置の凹部２０３は、画像形成装置１００の通常の使用時には、カバー２０２により遮蔽されている。凹部２０３には原稿搬送装置側ケーブル２０１の他端を接続する中継コネクタ４０１が設けられている。
【００４１】
図３に示すように、画像読取装置１０２の背面に原稿搬送装置側ケーブル２０１を差し込むための凹部２０３は、その上下、左右が画像読取装置１０２の筐体を構成する筐体３０１および上カバー３０２によって覆われている。このため、凹部２０３に対する原稿搬送装置側ケーブル２０１の抜き差し方向は、抜き差し作業時に周りの部品と手が接触しないようにするために、画像読取装置１０２に対して水平方向に、すなわち、凹部２０３が形成された画像読取装置１０２の側面に対して垂直方向に抜き差しできる構成とすることが望ましく、原稿搬送装置側ケーブル２０１の抜き差し方向がこれ以外の場合は、例えば原稿搬送装置側ケーブル２０１の引き抜き時にその余力で手が構造体等に接触してしまう恐れがある。このため、図４で後述するコネクタ４０１は、原稿搬送装置側ケーブル２０１の抜き差し方向が水平方向となる姿勢で画像読取装置１０２内に保持されている。
【００４２】
画像読取装置１０２の上面の周囲は上カバー３０２により覆われ、画像読取装置１０２の上面の略中央部分には、読取対象の原稿が載置されるコンタクトガラス３０３が取り付けられている。
【００４３】
図４〜図６に示すように、原稿搬送装置側ケーブル２０１の端部は、画像読取装置１０２の筐体３０１の側面の内部に設けられた中継コネクタ４０１に接続されている。なお、図４では、画像読取装置１０２の内部を説明するために、画像読取装置１０２の上カバー３０２、および、コンタクトガラス３０３が図示省略されている。
【００４４】
中継コネクタ４０１は、筐体３０１とは別に設けられた保持部材４０２に保持および固定されており、保持部材４０２は、ネジ４０３によって筐体３０１に固定されるようになっている。中継コネクタ４０１には、組付け工程において作業者の右手で原稿搬送装置側ケーブル２０１が差し込まれることを考慮して、保持部材４０２を外側から見たときの左右方向中央よりも左側にオフセットして配置されている。具体的には、作業者が右手で原稿搬送装置側ケーブル２０１を把持して中継コネクタ４０１に差し込むとき、作業者の親指側（左側）よりも小指側（右側）により多くのスペースが必要となるため、中継コネクタ４０１を保持部材４０２の左側に寄せて配置されることとで、中継コネクタ４０１の右側の空間が広くなるようにしている。
【００４５】
中継コネクタ４０１は、画像読取装置１０２の筐体３０１の外側の面に、原稿搬送装置側ケーブル２０１の端部が水平方向に接続される図示しない端子を有している。また、中継コネクタ４０１は、画像読取装置１０２の筐体３０１の内側の面に、制御基板側ケーブル５０２の端部が水平方向（図９、図１０参照）に接続される図示しない端子を有している。なお、図１０を参照して後述するように、制御基板側ケーブル５０２は、その端部は中継コネクタ４０１に対して水平方向接続されているが、中継コネクタ４０１の近傍で下方に屈曲して画像形成装置本体１０１に向って延びている。
【００４６】
画像読取装置１０２内には、図示しないレンズ、ＣＣＤ、ミラー等を保持した光学部品としての走行体４０４、および、走行体４０４の走行を案内するガイドロッド４０５、レール４０６等が設けられている。
【００４７】
図７〜図９に示すように、画像読取装置１０２内に設けられた中継コネクタ４０１の内側には、制御基板側ケーブル５０２が接続されている。制御基板側ケーブル５０２は、この中継コネクタ４０１と、画像形成装置本体１０１内に配置された制御基板５０１とを接続している。
【００４８】
筐体３０１には、水平方向に延在して原稿搬送装置側ケーブル２０１が挿通される通路としての第１の挿通穴６０１と、この第１の挿通穴６０１と交差する方向、すなわち鉛直方向に延在して制御基板側ケーブル５０２が挿通される通路としての第２の挿通穴６０２と、が設けられている。
【００４９】
第１の挿通穴６０１は、その外側端部（筐体３０１の側面の位置）において筐体３０１の側面の垂直壁に水平方向に開口する第１の開口部６０１ａを有している。この第１の開口部６０１ａは、図２に示すカバー２０２が装着される部分であり、カバー２０２が装着されることにより遮蔽されるようになっている。また、第１の挿通穴６０１は、その内側端部（中継コネクタ４０１の背面の位置）において光学部品としての走行体４０４のある空間に連通している。
【００５０】
第２の挿通穴６０２は、その上側端部において垂直方向に開口して光学部品としての走行体４０４のある空間に連通する第２の開口部６０２ａを有し、更に、第１の挿通穴６０１の内側端部に連通している。また、第２の挿通穴６０２は、その下側端部において画像形成装置本体１０１に連通している。
【００５１】
第２の挿通穴６０２に挿通された制御基板側ケーブル５０２は、その上端部、すなわち中継コネクタ４０１の背面側において屈曲されて中継コネクタ４０１に接続されている。
【００５２】
組付け工程においては、まず、保持部材４０２に中継コネクタ４０１を取り付けるとともにこの中継コネクタ４０１の背面側の端子に制御基板側ケーブル５０２を接続しておいてから、この保持部材４０２をネジ４０３により筐体３０１に固定する。
【００５３】
ここで、熱気流などは垂直方向に発生しやすく、画像形成装置本体１０１で発生した熱気流により、画像読取装置１０２の下にある画像形成装置本体１０１で発生した粉塵当が第２の挿通穴６０２を通って、画像読取装置１０２に流入することが懸念され、この場合、特にコンタクトガラス３０３や、走行体４０４内のミラー、レンズ、ＣＣＤといった光学部品に粉塵当が付着してしまうと、濃度ムラ、スジ当の異常画像が発生してしまう。
【００５４】
そこで、本実施の形態では、保持部材４０２が筐体３０１に固定された状態では、垂直方向に開口する第２の挿通穴６０２の上側端部の第２の開口部６０２ａが保持部材４０２により遮蔽されるように構成することにより、画像形成装置本体１０１から侵入する粉塵等から走行体４０４内の光学部品が遮蔽されるようになっている。
【００５５】
筐体３０１は、保持部材４０２と第１の挿通穴６０１の内側端部（中継コネクタ４０１の背面の位置）との間となる位置、換言すると保持部材４０２と第２の挿通穴６０２の上側端部（中継コネクタ４０１の背面の位置）との間となる位置に、第１の規制部としての壁６０３を有しており、壁６０３が保持部材４０２を背面から支持する状態となっているため、原稿搬送装置側ケーブル２０１の差し込み時における保持部材４０２のたわみが抑制され、作業性が良く、保持部材４０２が破壊することがない。
【００５６】
図１０に示すように、筐体３０１に中継コネクタ４０１を取り付ける際には、中継コネクタ４０１の奥行方向の空間には、制御基板側ケーブル５０２を中継コネクタ４０１に接続するための作業用スペースが必要となるが、本実施の形態のように、筐体３０１に保持部材４０２を介して中継コネクタ４０１を設けた場合、第２の挿通穴６０２の奥行方向の幅Ｌは、制御基板側ケーブル５０２の屈曲を考慮した分だけ確保しておけばよい。すなわち、筐体３０１に中継コネクタ４０１を直接設ける場合は、中継コネクタ４０１の背面には、制御基板側ケーブル５０２の屈曲を考慮した空間の他に、制御基板側ケーブル５０２の着脱のための空間が余分に必要となってしまうが、筐体３０１に保持部材４０２を介して中継コネクタ４０１を設けるように構成することにより、中継コネクタ４０１の背面の第２の挿通穴６０２の奥行方向の幅Ｌが短くても良好に組付け作業を行うことができる。
【００５７】
したがって、筐体３０１に保持部材４０２を介して中継コネクタ４０１を設けるように構成することにより、画像読取装置１０２の奥行き方向のサイズを、筐体３０１に中継コネクタ４０１を直接取り付けるように構成する場合よりも小さくすることができる。
【００５８】
筐体３０１は、保持部材４０２と第１の挿通穴６０１の外側端部（中継コネクタ４０１の前面の位置）との間となる位置に、第２の規制部としての凸部７０１を有しており、凸部７０１が保持部材４０２を前面で支持する状態となっているため、原稿搬送装置側ケーブル２０１の引き抜き時における保持部材４０２のたわみが抑制され、作業性が良く、保持部材４０２が破壊することがない。この凸部７０１は、図１１に示すように、保持部材４０２の下部で水平に折り曲げられた部分の左右方向の一端側（図１１の左側）に当接するようになっている。
【００５９】
保持部材４０２は、強度確保の点から、金属材料を用いて構成されている。保持部材４０２を金属材料とし、画像読取装置１０２の筐体３０１を樹脂材料とした場合、保持部材４０２が画像形成装置本体１０１全体のグランドから浮いてしまう。すなわち、金属からなる保持部材４０２が電気的に接地されていない状態となってしまい、この場合、保持部材４０２が装置内で発生する電波のアンテナとなり、電波放射量が増加してしまう可能性がある。
【００６０】
そこで、保持部材４０２と画像形成装置本体１０１の間に開口７０２を設けておき、画像形成装置本体１０１のグランドと保持部材４０２を導通させることで保持部材４０２を接地するようになっている。導通方法としては、保持部材４０２側に図示しないアース板等を取り付けてこのアース板等を画像形成装置本体１０１のグランド部分に接触させるか、または、画像形成装置本体１０１のグランド部分にアース線等を取り付けてこのアース線等を保持部材４０２に接触させる等の方法を用いることができる。
【００６１】
また、原稿搬送装置１０３も同様に、画像形成装置本体１０１のグランドと導通させる必要がある。そこで、前記のように画像形成装置本体１０１のグランドと導通させた金属材料からなる保持部材４０２にネジ穴を設けるとともに、原稿搬送装置側ケーブル２０１にアース線を設けてこのアース線を保持部材４０２のネジ穴１１０１にネジ止めすることで、原稿搬送装置１０３を接地することができる。
【００６２】
本実施の形態の構成の場合、画像読取装置１０２の筐体３０１に設けられた凹部２０３（原稿搬送装置側ケーブル２０１の接続用）の入口の第１の開口部６０１ａには、通常時はカバー２０２が設けられているため、カバー２０２により画像読取装置１０２の内部が外部から遮蔽されているが、原稿搬送装置側ケーブル２０１を抜き差しする際には、外部と画像読取装置１０２内部の間に遮蔽物がない。そこで、図１０、図１２（ａ）に示すように、第１の開口部６０１ａの上部、具体的には上カバー３０２の側面側近傍に、下方に突起する遮蔽部７０３を設け、保持部材と４０２と上カバー３０２との間の隙間を遮蔽部７０３で塞ぐことにより、カバー２０２を外したときの画像読取装置１０２の機密性を確保するようになっている。なお、保持部材４０２の上方にコンタクトガラス３０３が配置されるように構成されている場合、遮蔽部７０３は、コンタクトガラス３０３の下面に設けられる。
【００６３】
保持部材４０２の端部であって筐体３０１と接触する部分には、大きな接触面積を確保するとともに水平方向からの粉塵等の浸入を防止するための垂直部４０２ａが曲げ加工により設けられている。この垂直部４０２ａにより保持部材４０２による筐体３０１の遮蔽の程度が向上するとともに、曲げにより保持部材４０２の強度が増加する。
【００６４】
なお、図１１に示すように、保持部材４０２の左側において、水平に折り曲げられた水平部を設け、この水平部を筐体３０１にネジ止めすることにより、保持部材４０２の左側を支持する凸部７０１の機能を強化し、より一層、原稿搬送装置側ケーブル２０１の引き抜き時における保持部材４０２のたわみを抑制し、作業性を向上し、保持部材４０２が破壊してしまうことを防止することができる。
【００６５】
なお、筐体３０１は、保持部材４０２と第１の挿通穴６０１の外側端部（中継コネクタ４０１の前面の位置）との間となる位置に、第２の規制部としての凸部７０１を有しており、凸部７０１が保持部材４０２を前面で支持する状態となっているため、原稿搬送装置側ケーブル２０１の引き抜き時における保持部材４０２のたわみが抑制され、作業性が良く、保持部材４０２が破壊することがない。この凸部７０１は、図１１に示すように、保持部材４０２の下部で水平に折り曲げられた部分の左右方向の一端側（図１１の左側）に当接するようになっている。
【００６６】
また、筐体３０１への保持部材４０２の固定方法は、ネジ止めに限定されるものではなく、図１２（ｂ）に示すように、嵌め込み構造を採用してもよい。
【００６７】
なお、画像形成装置１００は、電子写真方式のデジタルコピー機に限定されるものではなく、例えばインクジェット方式等、他の方式のデジタルコピー機、または、デジタルコピー機に限らず、プリンタ装置、ファクシミリ装置、オフセット印刷機として構成してもよい。
【００６８】
以上のように、本実施の形態に係る画像読取装置１０２は、記録紙に画像形成を行う画像形成装置本体１０１の上部に一体的に配置されるとともに、原稿を搬送する開閉自在な原稿搬送装置１０３の下部に配置され、原稿の読取のための光学部品を内部に収納する筐体３０１と、画像形成装置本体１０１の制御基板５０１と原稿搬送装置１０３とを電気的に接続するケーブルの中継コネクタ４０１と、を備え、ケーブルが、筐体３０１の外部を通って中継コネクタ４０１と原稿搬送装置１０３とを電気的に接続する原稿搬送装置側ケーブル２０１と、筐体３０１の内部を通って中継コネクタ４０１と制御基板５０１とを電気的に接続する制御基板側ケーブル５０２と、からなる画像読取装置１０２において、筐体３０１の内部に、原稿搬送装置側ケーブル２０１および制御基板側ケーブル５０２の着脱方向が水平となる姿勢で中継コネクタ４０１を保持するとともに、走行体４０４の光学部品を筐体３０１の外部から遮蔽する保持部材４０２を備えたことを特徴とする。
【００６９】
この構成により、中継コネクタ４０１への原稿搬送装置側ケーブル２０１および制御基板側ケーブル５０２の着脱方向が水平となるので、装置のサイズが大きくなることを防止することができる。
【００７０】
また、中継コネクタ４０１を保持する保持部材４０２により走行体４０４の光学部品を筐体３０１の外部から遮蔽することにより、走行体４０４の光学部品に外部から粉塵等が侵入することが防止されるので、防塵性を確保することができる。
【００７１】
また、中継コネクタ４０１に制御基板側ケーブル５０２を装着してから、この中継コネクタ４０１を筐体３０１に取り付け、更に、この中継コネクタ４０１に原稿搬送装置側ケーブル２０１を装着することで組付けを行うことができるので、制御基板側ケーブル５０２および原稿搬送装置側ケーブル２０１を中継コネクタ４０１に装着するときの作業効率を高めることができる。
【００７２】
したがって、装置のサイズを大きくすることなく、かつ、防塵性を確保した上で、制御基板側ケーブル５０２および原稿搬送装置側ケーブル２０１を中継コネクタ４０１に装着するときの作業効率を高めることができる。
【００７３】
また、本実施の形態に係る画像読取装置１０２は、筐体３０１が、筐体３０１の内部に水平方向に延在して、その外側端部において筐体３０１の側面の垂直壁に水平方向に開口する第１の開口部６０１ａを有するとともに、その内側端部において光学部品に連通し、原稿搬送装置側ケーブル２０１が挿通される第１の挿通穴６０１と、筐体３０１の内部に垂直方向に延在して、その上側端部において垂直方向に開口して光学部品に連通する第２の開口部６０２ａを有し更に第１の挿通穴６０１の内側端部に連通するとともに、その下側端部において画像形成装置本体１０１に連通し、制御基板側ケーブル５０２が屈曲して挿通される第２の挿通穴６０２を備え、保持部材４０２が、第１の挿通穴６０１の内側端部と第２の挿通穴６０２の上側端部の連通位置に配置され、第１の挿通穴６０１および第２の開口部６０２ａを遮蔽することを特徴とする。
【００７４】
この構成により、中継コネクタ４０１を保持する保持部材４０２により第１の挿通穴６０１を遮蔽することにより、第１の挿通穴６０１を通って外部から粉塵等が内部に侵入することが防止され、また、垂直方向に開口する第２の開口部６０２ａが保持部材４０２により遮蔽されるため、画像読取装置１０２の下部の画像形成装置本体１０１で発生した熱気流に乗って粉塵当が第２の挿通穴６０２を通って画像読取装置１０２に流入してしまうことが防止され、防塵性をより高めることができる。
【００７５】
また、本実施の形態に係る画像読取装置１０２は、筐体３０１が、保持部材４０２より第１の挿通穴６０１の内側端部の側に配置され、保持部材４０２に当接して第１の挿通穴６０１の内側端部の方向に撓むことを規制する第１の規制部としての壁６０３を有することを特徴とする。
【００７６】
この構成により、原稿搬送装置側ケーブル２０１を中継コネクタ４０１に装着するときに保持部材４０２が第１の挿通穴６０１の内側端部の方向に撓むことを壁６０３により抑制することができるので、原稿搬送装置側ケーブル２０１を中継コネクタ４０１に装着するときの作業性を向上することができ、また、原稿搬送装置側ケーブル２０１を中継コネクタ４０１に装着するときに保持部材４０２が撓んで破壊することを防止することができる。
【００７７】
また、本実施の形態に係る画像読取装置１０２は、筐体３０１が、保持部材４０２より第１の挿通穴６０１の外側端部の側に配置され、保持部材４０２に当接して保持部材４０２が第１の挿通穴６０１の外側端部の方向に撓むことを規制する第２の規制部としての凸部７０１を有することを特徴とする。
【００７８】
この構成により、原稿搬送装置側ケーブル２０１を中継コネクタ４０１から引き抜くときに保持部材４０２が第１の挿通穴６０１の外側端部の方向に撓むことを凸部７０１により抑制することができるので、原稿搬送装置側ケーブル２０１を中継コネクタから引き抜くときの作業性を向上することができ、また、原稿搬送装置側ケーブル２０１を中継コネクタ４０１から引き抜くときに保持部材４０２が撓んで破壊することを防止することができる。
【００７９】
また、本実施の形態に係る画像読取装置１０２は、原稿搬送装置側ケーブル２０１と略同径に形成されこの原稿搬送装置側ケーブル２０１が挿通される挿通穴２０２ａを有するとともに、第１の開口部６０１ａに装着されてこの第１の開口部６０１ａを遮蔽するカバー２０２を備え、筐体としての上カバー３０２が、第１の開口部６０１ａの上部に配置され保持部材４０２の上部と当接することで第１の開口部６０１ａの遮蔽を補助する遮蔽補助部材としての遮蔽部７０３を有することを特徴とする。
【００８０】
この構成により、中継コネクタ４０１に対して原稿搬送装置側ケーブル２０１および制御基板側ケーブル５０２を抜き差しするときに、カバー２０２を取り外す必要があるが、遮蔽部７０３により第１の開口部６０１ａの遮蔽が補助されているため、画像読取装置１０２の内部の光学部品の機密性を確保することができる。
【００８１】
また、本実施の形態に係る画像読取装置１０２は、保持部材４０２が金属から構成されることを特徴とする。
【００８２】
この構成により、保持部材４０２の材料を金属にすることにより、樹脂から構成する場合よりも薄肉に形成しても、中継コネクタ４０１に対して原稿搬送装置側ケーブル２０１および制御基板側ケーブル５０２を抜き差しするときの保持部材４０２の耐荷重強度を確保することができる。
【００８３】
また、本実施の形態に係る画像読取装置１０２は、保持部材４０２が、保持部材４０２を電気的に接地するアース線に接続され、筐体３０１が、樹脂から構成されるとともに、アース線が通過する通過経路としての開口７０２を有することを特徴とする。
【００８４】
この構成により、画像読取装置１０２の筐体３０１を樹脂材料とした場合、保持部材４０２を電気的に接地しないと保持部材４０２が装置内で発生する電波のアンテナとなって電波放射量が増加してしまうが、保持部材４０２をアース線で接地し、筐体３０１内にアース線の通過する開口７０２を設けることにより、筐体３０１を樹脂から構成した場合でも保持部材４０２からの電波放射を防止することができる。
【００８５】
また、本実施の形態に係る画像読取装置１０２は、保持部材４０２と原稿搬送装置１０３を更にアース線で接続したことを特徴とする。
【００８６】
この構成により、筐体３０１が樹脂から構成される場合でも原稿搬送装置１０３を電気的に接地することが可能となり、かつ、原稿搬送装置側ケーブル２０１や制御基板側ケーブル５０２の近傍にアース線が配置されることによる不都合が発生せず、別途アース板等にて原稿搬送装置１０３と画像読取装置１０２を接地することを不要にすることができる。
【００８７】
また、本実施の形態に係る画像形成装置１００は、上記の記載の画像読取装置１０２を備えたことを特徴とする。
【００８８】
この構成により、画像読取装置１０２を備える画像形成装置１００において、装置のサイズを大きくすることなく、かつ、防塵性を確保した上で、制御基板側ケーブル５０２および原稿搬送装置側ケーブル２０１を中継コネクタ４０１に装着するときの作業効率を高めることができる。
【産業上の利用可能性】
【００８９】
以上説明したように、本発明に係る画像読取装置および画像形成装置は、装置のサイズを大きくすることなく、かつ、防塵性を確保した上で、制御基板側ケーブルおよび原稿搬送装置側ケーブルを中継コネクタに装着するときの作業効率を高めることができるという効果を有し、原稿搬送装置と画像形成装置本体の制御基板とを接続するケーブルを画像読取装置にて中継させた画像読取装置および画像形成装置として有用である。
【符号の説明】
【００９０】
１００  画像形成装置
１０１  画像形成装置本体
１０２  画像読取装置
１０３  原稿搬送装置
２０１  原稿搬送装置側ケーブル（ケーブル）
２０２  カバー（カバー部材）
２０２ａ  挿通穴
２０３  凹部
３０１  筐体（筺体）
３０２  上カバー（筺体）
３０３  コンタクトガラス
４０１  中継コネクタ
４０２  保持部材
４０３  ネジ
４０４  走行体（光学部品）
４０６  レール
５０１  制御基板
５０２  制御基板側ケーブル（ケーブル）
６０１  第１の挿通穴
６０１ａ  第１の開口部
６０２  第２の挿通穴
６０２ａ  第２の開口部
６０３  壁（第１の規制部）
７０１  凸部（第２の規制部）
７０２  開口
７０３  遮蔽部（遮蔽補助部材）
【先行技術文献】
【特許文献】
【００９１】
【特許文献１】特開２００１−１９７２３２号公報
【特許文献２】特開２００９−２６０４７６号公報
【図１】
0005521740.tif 000002
【図２】
0005521740.tif 000003
【図３】
0005521740.tif 000004
【図４】
0005521740.tif 000005
【図５】
0005521740.tif 000006
【図６】
0005521740.tif 000007
【図７】
0005521740.tif 000008
【図８】
0005521740.tif 000009
【図９】
0005521740.tif 000010
【図１０】
0005521740.tif 000011
【図１１】
0005521740.tif 000012
【図１２】
0005521740.tif 000013